(57)【要約】【課題】  面格子の現場での取付が最小限の手間ででき、防犯性に優れた面格子付きサッシを提供する。【解決手段】  サッシ枠(100）に面格子(200）を一体的に取付けてなる面格子付きサッシにおいて、サッシ下枠に面格子取付部(121）を一体に形成し、面格子の下フレーム(220）に固定縁(223）を一体に形成するとともに、その固定縁の下側に下フレーム固定材(290）を固定縁の上側から貫通したねじ(264）を介して固定縁に対して接近離間自在に保持し、面格子を取付ける際は、前記ねじを介して離間された固定縁(223）と下フレーム固定材(290）の間に面格子取付部(121）を締め付けて面格子をサッシに固定するようにした。【選択図】  図１
2006037450.tif 000002
【特許請求の範囲】
【請求項１】
サッシ枠に面格子を一体的に取付けてなる面格子付きサッシにおいて、前記サッシ枠の下枠に面格子取付部を一体に形成し、前記面格子の下フレームに屋内方向に延出する固定縁を一体に形成するとともに、その固定縁の下側に下フレーム固定材を前記固定縁の上側から貫通したねじを介して前記固定縁に対して接近離間自在に保持し、当該面格子を前記サッシ枠に取付ける際は、前記ねじを介して離間された前記固定縁と前記下フレーム固定材の間に前記面格子取付部を締め付けて前記面格子を前記サッシ枠に固定することを特徴とする面格子付きサッシ。
【請求項２】
下フレーム固定材は、面格子の下フレームの長さとほぼ等しい長尺材であることを特徴とする請求項１に記載された面格子付きサッシ。
【請求項３】
サッシ枠の上枠に面格子係止部を一体に形成するとともに、面格子の上フレームに屋内方向に突出する被係止縁を一体に形成し、当該面格子を前記サッシ枠に取付ける際は、前記被係止縁を前記面格子係止部に係止し、前記被係止縁の下面に予め取付けられた上フレーム固定材により前記被係止縁と前記面格子係止部とを挟み込んで前記面格子の上部を前記サッシ上枠に固定すること特徴とする請求項１又は２に記載された面格子付きサッシ。
【請求項４】
上フレーム固定材は、被係止縁の下面に窓開口内側からねじ込まれるねじにより昇降自在に取付けられ、屋内側端部に上向きに開口する溝を有し、その溝に係止し合っている被係止縁と面格子係止部とが嵌合されることを特徴とする請求項３記載された面格子付きサッシ。
【発明の詳細な説明】
【技術分野】
【０００１】
本発明は、防犯性を高めた面格子付きサッシに関する。
【背景技術】
【０００２】
従来の面格子付きサッシにおいては、防犯性を確保するには、施工現場において、面格子をサッシ枠に取付ける際に、防犯製品に欠かせない裏板その他のピース材を保持しながら、ねじ止め作業を行っていた。
【特許文献１】特になし。
【発明の開示】
【発明が解決しようとする課題】
【０００３】
従って、従来は、（ａ）ピース材が現場において初めて所定位置に装着されるので、現場まで搬送し、装着するまての間の部品管理及び装着に手間がかかる、（ｂ）ピース材であるため、面格子及びサッシ枠に対する結合強度に限界があり、バール等を用いて比較的容易にピース材の除去が可能であるので、防犯性が不十分である、などの問題があった。  
【０００４】
本発明は、上記の点に鑑みてなされたものである。すなわち、本発明が解決しようとする課題は、面格子の現場での取付が最小限の手間で容易かつ強固にでき、防犯性に優れた面格子付きサッシを提供することにある。
【課題を解決するための手段】
【０００５】
上記課題を解決するため、本発明は、サッシ枠に面格子を一体的に取付けてなる面格子付きサッシにおいて、前記サッシ枠の下枠に面格子取付部を一体に形成し、前記面格子の下フレームに屋内方向に延出する固定縁を一体に形成するとともに、その固定縁の下側に下フレーム固定材を前記固定縁の上側から貫通したねじを介して前記固定縁に対して接近離間自在に保持し、面格子をサッシ枠に取付ける際は、前記ねじを介して離間された前記固定縁と前記下フレーム固定材の間に前記面格子取付部を締め付けて面格子をサッシに固定することを特徴としている。
上記構成により、ねじと下フレーム固定材は面格子を構成する下フレームに予め仮組み付けしておき、施工現場では、面格子の固定縁と下フレーム固定材との間を開け、その間にサッシ下枠の面格子取付部を挿入し、前記ねじを締め付けることにより、容易に面格子をサッシ下枠に固定することができる。
【０００６】
上記の構成において、下フレーム固定材は面格子の下フレームの長さとほぼ等しい長尺材であることが望ましい。
長尺である場合は、固定縁と下フレーム固定材との間へのサッシ下枠の面格子取付部の挿入及びねじによる締め付け作業を安定して簡単かつ確実に行うことができる。
【０００７】
本発明のさらに発展させた構成においては、サッシ枠の上枠に面格子係止部を一体に形成するとともに、面格子の上フレームに屋内方向に突出する被係止縁を一体に形成し、面格子を取付ける際は、前記被係止縁を前記上枠の面格子係止部に係止し、前記被係止縁の下面に予め取付けられた上フレーム固定材により前記被係止縁と面格子係止部のと係止部分を挟み込んで面格子の上部をサッシ上枠に固定すること特徴としている。
上記の構成により、面格子を取付ける際は、面格子の上フレームの被係止縁をサッシ上枠の面格子係止部に係止した後、下フレームの固定縁と下フレーム固定材の間にサッシ下枠の面格子取付部を挿入し、ねじを締め付けると下フレームがサッシ下枠に固定され、かつ、上フレーム固定材により被係止縁とサッシ上枠の面格子係止部を挟み込むと、上フレームがサッシ上枠に固定される。
【０００８】
上フレーム固定材は、被係止縁の下面に窓開口内側からねじ込まれるねじにより昇降自在に取付けられ、屋内側端部に上向きに開口する溝を有し、その溝に係止し合っている面格子係止部と被係止縁とが嵌合されることが望ましい。
このような構成とすることにより、面格子取付時は、ねじを緩めて上フレーム固定材を下げて置き、被係止縁をサッシ上枠の面格子係止部に係止した後、ねじを締めて上フレーム固定材を上げることにより、サッシ上枠と上フレームが簡単に結合される。  
【発明の効果】
【０００９】
請求項１の発明によれば、下フレーム固定材をねじで面格子に予め仮組みしておくので、面格子の取付けは、取付現場でねじを緩めて固定縁と下フレーム固定材の間にサッシ下枠の面格子取付部を挟み、ねじを締めるだけで行うことができる。従って、従来と異なり、ピース材を保持しながらのねじ止め作業を必要としないので、一人で面格子の取付け作業ができる。
【００１０】
請求項２の発明によれば、下フレームの固定縁、サッシ下枠の面格子取付部及び下フレーム固定材がいずれも長尺で３層に重なり合って結合されるため、面格子が非常に強固に結合され、防犯性が向上する。
【００１１】
請求項３の発明によれば、面格子の上フレームをサッシ上枠の面格子係止部に係止し、上フレーム固定材で固定するので、面格子は上部と下部の両側で強固に固定される。
【００１２】
請求項４によれば、下フレーム固定材と同様に、上フレーム固定材も予め面格子に仮組みして置き、現場で窓開口部の内側からねじを締めるだけの作業で簡単に面格子の上部の固定ができる。また、面格子はその屋内側において上下二箇所で固定されているから、屋外側から不正に取り外すことができないので、防犯性に優れている。
【発明を実施するための最良の形態】
【００１３】
続いて、本発明の実施の形態について図面を参照しながら説明する。  
図１は本発明による面格子付きサッシの縦断面図、図２は図１のＸ−Ｘ線断面図、図３は図１のＹ−Ｙ線断面図、図４は図１及び図２に示された面格子の分解斜視図、図５は図１の面格子の上フレームとサッシ枠の上枠との結合部を示す要部拡大図、図６は面格子の下フレームをサッシ下枠に固定する過程を示す図１の要部拡大断面図である。
【００１４】
図１及び図２において、１００はサッシ枠であり、上枠１１０と、下枠１２０と、左右の縦枠１３０、１４０とを周知の技術により矩形に連結してなるとともに、各枠は建物の開口に取付けるための構成及び各種の障子を取付けるための構成を有するが、それらの構成は周知のものであるので、詳細な説明は省略する。図示の例のサッシ枠１００は、引き違い障子１５０、１６０及び網戸１７０が建て付けられる形式のものを一例として示されているにすぎず、本発明は障子の取付け形態及び網戸の有無は特に問わない。
【００１５】
本発明による新規な構成要素して、サッシ枠の上枠１１０には、その屋外側端部に面格子係止部１１１が一体に設けられている。この面格子係止部は下端部に屋外側上方に屈曲された折曲縁１１２を有している。また、サッシ枠の下枠１２０にも、その屋外側端部に面格子取付部１２１が一体に設けられている。この面格子取付部は、図５に良く示されているように、好ましくは、面格子との結合強度を大きくするため、断面Ｌ字形に形成されている。
【００１６】
また、図１及び図２において、２００は面格子であり、少なくとも上下の横フレーム２１０、２２０と、左右の縦フレーム２３０、２４０と、縦格子材２５０と有する。左右の縦フレーム２３０、２４０は必ずしも要らないが、防犯上及び体裁上、ある方が好ましい。各フレーム２１０、２２０、２３０、２４０は所要の強度を備えるため中空材で作られ、上下の横フレームの長手方向端部を両縦フレームの上下それぞれの端部における対向面に突き当て、その縦フレームにその外側から貫通した第１ねじ２６１を横フレームに形成してあるビスホール２１１、２２１にねじ込む慣用技術により矩形のフレームを構成している。
【００１７】
この場合、各縦フレーム２３０、２４０の上下端部には、それらの小口を密閉し、かつ、第１ねじの座金の役目を果たす小口塞ぎ２７０が、突起部２７１と座金部２７２を中空部に挿入し、かつ、平板部２７３を端面に当接した状態で第１ねじ２６１を座金部に貫通し、さらにビスホール２１１、２２１にねじ込むことにより取付けられており、縦横のフレームの結合と各小口塞ぎの固定とを一挙に行っている。また、第１ねじ２６１が縦フレームの外面に露見されないように、縦フレームのねじ込み位置を含む領域に開口が形成され、その開口から第１ねじ２６１をねじ込んだ後、その開口をこれに縦フレームカバー材２３１、２４１を嵌着して閉塞してある。
【００１８】
また、格子材２５０は角筒状に形成されており、その格子材の上下の端面を上下の横フレーム２１０、２２０の屋外側部分の対向面に突き当て、上下の横フレームにその上側又は下側から貫通した第２ねじ２６２を格子材２００の内壁面に形成されているビスホール２５１にねじ込むことにより格子材２５０が横フレーム２１０、２２０に結合されている。この場合も、第２ねじ２６２がフレームの外面に露見されないように、横フレームのねじ込み位置を含む領域に開口が形成され、その開口から第２ねじ２６２をねじ込んだ後、その開口をこれに横フレームカバー材２１２、２２２を嵌着して閉塞してある。
【００１９】
本発明による重要な構成要素として、上フレーム２１０には、その屋内方向に延出する係止縁２１３が一体に形成され、また、下フレーム２２０は、その中空部が上フレームの中空部よりも屋内方向まで延長されて、より大きい強度を備えているほか、その下フレームの屋内方向に延出する固定縁２２３が一体に設けられている。
【００２０】
係止縁２１３は、図５に例示するように、サッシ枠の上枠１１０に設けてある前記係止部１１１の折曲縁１１２に落とし込み方式により係止することができる形状に形成されている。また、この係止縁には、その長手方向に隔てた複数箇所における下面に、上フレーム固定材２８０がこれを貫通した第３ねじ２６３を上フレーム２１０の下方から係止縁２１３にねじ込んで、その第３ねじ２６３を回すことにより上下移動自在に取付けられている。上フレーム固定材２８０の先端は上方に開口する凹溝状に形成されている。
【００２１】
次に、固定縁２２３は、下フレーム２２０のほぼ全長にわたって形成され、断面ほぼＬ字形をなしている。好ましくは、その固定縁の下面と側面に直交する二つの線に沿って突出する二つの突起２２３ａ、２２３ｂを有している。そして、固定縁の幅方向中間位置にねじ貫通用孔が設けられ、その孔に固定縁の上側から第４ねじ２６４が挿通され、その第４ねじ２６４は、固定縁２２３の下側に備えられた下フレーム固定材２９０にねじ込まれている。
【００２２】
下フレーム固定材２９０は、一例として断面形状が複数の階段状に形成され、屋内側の段２９１は、サッシ下枠１２０の面格子取付部１２１の段状の下面に合致する形状を有し、また、屋外側の段２９２は、下フレーム２２０の固定縁２２３の二つの突起２２３ａ、２２３ｂと当接するように形成されている。そして、屋外側の段２９２の下部にはあり溝２９３が形成されて、屋外側の段からあり溝に連通する孔２９４が下フレーム固定材２９０の長手方向に隔てた位置において複数個ずつ設けられ、そのあり溝２９３の中には複数個ずつの孔２９４に対応する位置ごとに鋼製のねじ受け部材２９５が収容され、固定縁２２３の上側から前記第４ねじ２６４がそのねじ受け部材２９５にねじ込まれている。ねじ受け部材２９５は、図４に示すように、短冊状に形成されて固定縁２２３の複数個ずつの孔に対応する複数個のねじ孔を有しており、各ねじ孔に第４ねじ２６４がねじ込まれている。
【００２３】
こうして、面格子２００には、その取付前において、上フレーム２１０には上フレーム固定材２８０が第３ねじ２６３により、下フレーム２２０には下フレーム固定材２９０が第４ねじ２６４により、それぞれ予め仮組みされている。
なお、図４における２１１０は、下フレーム２２０の屋内側中空部の小口塞ぎである。  
【００２４】
上記構成の面格子付きサッシを取り付ける場合は、面格子２００の上フレーム２１０には上フレーム固定材２８０を第３ねじ２６３により仮止めし、下フレーム２２０には下フレーム固定材２９０を第４ねじ２６４により仮止めした状態で、サッシ枠１００とともに面格子２００が施工現場に搬送され、サッシ枠１００を周知の方法で図示を省略された建物躯体に取付けた後、面格子の第３ねじ２６３及び第４ねじ２６４をそれぞれ緩めて上フレーム固定材２８０及び下フレーム固定材２９０を、それぞれ固定縁２１３及び２２３から離間させ、その状態で、まず、上フレーム２１０の係止縁２１３をサッシ上枠の面格子取付け部１１１の折曲縁１１２に落とし込み形式より係止し、そのとき同時に、下フレーム２２０の固定縁２２３を図５（ａ）に示すようにサッシ下枠１２０の面格子取付部１２１に載置し、面格子取付部１２１の屋外側端部の垂下片が下フレームの固定縁２２３の屋内側側端部の突起２２３ａと当接する所定位置に止める。次いで、面格子２００の第３ねじ２６３を締め付けて上フレームの係止縁２１３とサッシ上枠の係止縁１１２とを上フレーム固定材２８０の凹溝に嵌合して分離不可能に固定する。
【００２５】
取付後の状態においては、下側の第４ねじ２６４は長尺の下フレーム固定材２９０に複数箇所でねじ込まれているので、ドライバなどで全ての第４ねじを緩めるには相当の時間がかかり、また、バールなどで無理矢理取り外すことは不可能である。上フレーム固定材２８０も、屋内側からねじ込まれた第３ねじ２６３により固着されているので、これを取り外すには梯子などを用いる必要があり、手間ひまがかかるので、高い防犯性を備えている。
【００２６】
上記実施例において、サッシ上枠の面格子係止部１１１は、面格子の上フレームの被係止縁を係止するので、下フレームをサッシ下枠に固定するまでの間も安全に保持される利点があるが、上フレームの屋内側端部をサッシ上枠の屋外側端部に載置する構造としてもよい。また、図６に示すように、サッシ下枠の面格子取付部と下フレーム固定材２９０の断面形状をそれぞれ段状、Ｌ字形にした場合は、第４ねじの締め付けにより面格子取付部を固定する際に、３層に重なり合うので、非常に大きい結合強度が得られる。しかし，所要の結合強度が得れるならば、これらの構成要素の断面形状は図示のものに制限されない。さらに、図面には矩形に連結されたフレームの中に格子材を取付けた形態の面格子が示されたが、格子材の上下端部が上下の横フレーム材よりも上方と下方に延出するいわゆる角出しタイプの面格子であっても構わない。
【図面の簡単な説明】
【００２７】
【図１】本発明による面格子付きサッシの縦断面図。
【図２】図１のＸ−Ｘ線断面図。
【図３】図１のＹ−Ｙ線断面図。
【図４】図１及び図２に示された面格子の分解斜視図。
【図５】図１の面格子の上フレームとサッシ枠の上枠との結合部を示す要部拡大図。
【図６】面格子の下フレームをサッシ下枠に固定する過程を示す要部拡大断面図。
【符号の説明】
【００２８】
１００    サッシ枠
１１０    上枠
１１１    面格子取付部
１２０    下枠
１２１    面格子取付部  
１３０、１４０    縦枠
２００    面格子
２１０    上フレーム
２１３    係止縁
２２０    下フレーム
２２３    固定縁
２８０    上フレーム固定材
２９０    下フレーム固定材
２６１    第１ねじ
２６２    第２ねじ
２６３    第３ねじ
２６４    第４ねじ
【図１】
2006037450.tif 000003
【図２】
2006037450.tif 000004
【図３】
2006037450.tif 000005
【図４】
2006037450.tif 000006
【図５】
2006037450.tif 000007
【図６】
2006037450.tif 000008